(57)【特許請求の範囲】
【請求項１】
セルＩＤと対応づけられるスクランブリング符号を用いてチャネル品質測定用参照信号を生成する生成部と、
シフティングのパターンを表すシフティング番号に基づいて前記チャネル品質測定用参照信号を時間領域及び周波数領域のリソースにマッピングするマッピング部と、
前記チャネル品質測定用参照信号を送信アンテナ間で直交化させて移動端末装置に送信する送信部と、を具備し、
前記シフティング番号は、制御情報として前記移動端末装置に通知され、
前記シフティング番号に基づいて、時間領域及び周波数領域のリソースにおけるデータ信号の送信を制御することを特徴とする無線基地局装置。
【請求項２】
前記送信アンテナ間での直交化は、周波数分割多重及びコード分割多重で行われることを特徴とする請求項１記載の無線基地局装置。
【請求項３】
前記シフティング番号に基づいて、時間領域及び周波数領域のリソースにおいて、データ信号を無送信にすることを特徴とする請求項１又は請求項２記載の無線基地局装置。
【請求項４】
自セル以外の他セルとの間でチャネル品質測定用参照信号を直交化する場合、他セルのチャネル品質測定用参照信号が配置される時間領域及び周波数領域のリソースにおいて、自セルのデータ信号を無送信にすることを特徴とする請求項３記載の無線基地局装置。
【請求項５】
セルＩＤと対応づけられるスクランブリング符号を用いて生成され、シフティングのパターンを表すシフティング番号に基づいて時間領域及び周波数領域のリソースにマッピングされたチャネル品質測定用参照信号を受信する受信部と、前記チャネル品質測定用参照信号を用いてチャネル品質を測定する測定部と、を具備し、
前記シフティング番号は、無線基地局装置から制御情報として通知され、
前記シフティング番号に基づいて、時間領域及び周波数領域のリソースにおけるデータ信号の受信を制御することを特徴とする移動端末装置。
【請求項６】
前記受信部は、使用するリソース及び直交多重数を含む直交化用制御情報を受信することを特徴とする請求項５記載の移動端末装置。
【請求項７】
自セル以外の他セルとの間でチャネル品質測定用参照信号を直交化する場合、他セルのチャネル品質測定用参照信号が配置される時間領域及び周波数領域のリソースにおいて、自セルのデータ信号を受信しないようにすることを特徴とする請求項５又は請求項６記載の移動端末装置。
【請求項８】
無線基地局装置において、セルＩＤと対応づけられるスクランブリング符号を用いてチャネル品質測定用参照信号を生成する工程と、
シフティングのパターンを表すシフティング番号に基づいて前記チャネル品質測定用参照信号を時間領域及び周波数領域のリソースにマッピングする工程と、
前記チャネル品質測定用参照信号を送信アンテナ間で直交化させて移動端末装置に送信する工程と、を具備し、
前記シフティング番号は、前記無線基地局装置から制御情報として前記移動端末装置に通知され、
前記シフティング番号に基づいて、時間領域及び周波数領域のリソースにおけるデータ信号の送信を制御することを特徴とする無線通信方法。
【請求項９】
前記移動端末装置において、前記チャネル品質測定用参照信号を含む下りリンク信号を受信する工程と、前記チャネル品質測定用参照信号を用いてチャネル品質を測定する工程と、を有することを特徴とする請求項８記載の無線通信方法。
【請求項１０】
前記送信アンテナ間での直交化は、周波数分割多重及びコード分割多重で行われることを特徴とする請求項８又は請求項９記載の無線通信方法。
【請求項１１】
前記シフティング番号に基づいて、時間領域及び周波数領域のリソースにおいて、データ信号を無送信にすることを特徴とする請求項８から請求項１０のいずれかに記載の無線通信方法。
【請求項１２】
自セル以外の他セルとの間でチャネル品質測定用参照信号を直交化する場合、他セルのチャネル品質測定用参照信号が配置される時間領域及び周波数領域のリソースにおいて、自セルのデータ信号を無送信にすることを特徴とする請求項１１に記載の無線通信方法。
【請求項１３】
セルＩＤと対応づけられるスクランブリング符号を用いてチャネル品質測定用参照信号を生成する生成部と、シフティングのパターンを表すシフティング番号に基づいて前記チャネル品質測定用参照信号を時間領域及び周波数領域のリソースにマッピングするマッピング部と、前記チャネル品質測定用参照信号を送信アンテナ間で直交化させて送信する送信部と、を具備する無線基地局装置と、
前記チャネル品質測定用参照信号を受信する受信部と、前記チャネル品質測定用参照信号を用いてチャネル品質を測定する測定部と、を具備する移動端末装置と、を具備し、
前記シフティング番号は、前記無線基地局装置から制御情報として前記移動端末装置に通知され、
前記シフティング番号に基づいて、時間領域及び周波数領域のリソースにおけるデータ信号の送信を制御することを特徴とする無線通信システム。
【発明の詳細な説明】
【技術分野】
【０００１】
本発明は、無線基地局装置、移動端末装置、無線通信方法及び無線通信システムに関する。
【背景技術】
【０００２】
３ＧＰＰ（3rd  Generation  Partnership  Project）で規定されるＬＴＥ（Long  Term  Evolution）システムでは、参照信号（Reference  Signal：ＲＳ）をリソースブロック（Resource  Block：ＲＢ）に配置している。例えば、移動端末装置で参照信号を受信することにより、下りリンク信号を同期検波することができる（非特許文献１）。参照信号は、セル固有のスクランブリング信号によってスクランブリング（既知信号系列によるランダマイズ）される。
【０００３】
３ＧＰＰでは、高速伝送をＬＴＥシステムよりも広いカバレッジで実現するためのＬＴＥ−Ａ（ＬＴＥ−Advanced）システムが検討されている。このＬＴＥ−Ａシステムにおいては、下りリンクで２種類の参照信号（復調用参照信号（ＤＭ−ＲＳ）及びチャネル品質測定用参照信号（ＣＳＩ−ＲＳ））が規定される。
【０００４】
復調用参照信号は、物理下り共有チャネル（Physical  Downlink  Shard  Channel：ＰＤＳＣＨ）の復調に用いられる。この復調用参照信号は、ＰＤＳＣＨと同様のプリコーディングが施されて移動端末装置に送信される。チャネル品質測定用参照信号は、移動端末装置が無線基地局装置にフィードバックするチャネル品質情報（Channel  State  Indicator）を測定するために用いられる。
【先行技術文献】
【非特許文献】
【０００５】
【非特許文献１】３ＧＰＰ，ＴＳ３６．２１１
【発明の概要】
【発明が解決しようとする課題】
【０００６】
ＬＴＥシステムにおいては、より高速な伝送を実現するために、無線基地局装置に複数の送受信アンテナを用いるＭＩＭＯ（Multiple  Input  Multiple  Output）伝送を採用している。ＬＴＥ−Ａシステムにおいては、下りリンクで最大８アンテナ送信をサポートするので、無線基地局装置の送信アンテナ間の直交化を考慮する必要がある。また、ＬＴＥ−Ａシステムにおいては、マルチセル協調送信を行うため、セル間の直交化を考慮する必要もある。さらに、ＬＴＥ−Ａシステムにおいては、ＬＴＥシステムよりも高精度な干渉推定が必要となる。したがって、ＬＴＥ−Ａシステムにおいては、このような要求を満足するように、下りリンクのチャネル品質測定用参照信号の構成をデザインする必要がある。
【０００７】
本発明はかかる点に鑑みてなされたものであり、送信アンテナ間の直交化、セル間の直交化、高精度な干渉推定を考慮して下りリンクのチャネル品質測定用参照信号を送受信する無線基地局装置、移動端末装置及び無線通信方法を提供することを目的とする。
【課題を解決するための手段】
【０００８】
本発明の無線基地局装置は、セルＩＤと対応づけられるスクランブリング符号を用いてチャネル品質測定用参照信号を生成する生成部と、シフティングのパターンを表すシフティング番号に基づいて前記チャネル品質測定用参照信号を時間領域及び周波数領域のリソースにマッピングするマッピング部と、前記チャネル品質測定用参照信号を送信アンテナ間で直交化させて移動端末装置に送信する送信部と、を具備し、前記シフティング番号は、制御情報として前記移動端末装置に通知され、前記シフティング番号に基づいて、時間領域及び周波数領域のリソースにおけるデータ信号の送信を制御することを特徴とする。
【０００９】
本発明の移動端末装置は、セルＩＤと対応づけられるスクランブリング符号を用いて生成され、シフティングのパターンを表すシフティング番号に基づいて時間領域及び周波数領域のリソースにマッピングされたチャネル品質測定用参照信号を受信する受信部と、前記チャネル品質測定用参照信号を用いてチャネル品質を測定する測定部と、を具備し、前記シフティング番号は、無線基地局装置から制御情報として通知され、前記シフティング番号に基づいて、時間領域及び周波数領域のリソースにおけるデータ信号の受信を制御することを特徴とする。
【００１０】
本発明の無線通信方法は、無線基地局装置において、セルＩＤと対応づけられるスクランブリング符号を用いてチャネル品質測定用参照信号を生成する工程と、シフティングのパターンを表すシフティング番号に基づいて前記チャネル品質測定用参照信号を時間領域及び周波数領域のリソースにマッピングする工程と、前記チャネル品質測定用参照信号を送信アンテナ間で直交化させて移動端末装置に送信する工程と、を具備し、前記シフティング番号は、前記無線基地局装置から制御情報として前記移動端末装置に通知され、前記シフティング番号に基づいて、時間領域及び周波数領域のリソースにおけるデータ信号の送信を制御することを特徴とする。
【発明の効果】
【００１１】
本発明によれば、送信アンテナ間の直交化、セル間の直交化、高精度な干渉推定を考慮して下りリンクのチャネル品質測定用参照信号を送受信することができる。
【図面の簡単な説明】
【００１２】
【図１】（ａ）〜（ｃ）は、本発明の実施の形態におけるＣＳＩ−ＲＳの直交化方法を説明するための図である。
【図２】シフティングによるＣＳＩ−ＲＳの非直交化を説明するための図である。
【図３】ホッピングによるＣＳＩ−ＲＳの非直交化を説明するための図である。
【図４】スクランブリングによるＣＳＩ−ＲＳの非直交化を説明するための図である。
【図５】（ａ）はセル構成を示す図であり、（ｂ）は非直交化と直交化の組み合わせ例を示す図である。
【図６】本発明の実施の形態に係る無線基地局装置及び移動端末装置を有する無線通信システムを示す図である。
【図７】本発明の実施の形態に係る無線基地局装置の概略構成を示すブロック図である。
【図８】本発明の実施の形態に係る移動端末装置の概略構成を示すブロック図である。
【発明を実施するための形態】
【００１３】
以下、本発明の実施の形態について添付図面を参照して詳細に説明する。
上述したように、無線基地局装置においては、複数の送受信アンテナを用いるＭＩＭＯ伝送を採用しているので、同一セル内の送信アンテナ間は直交化する必要がある。ＬＴＥシステムやＬＴＥ−Ａシステムは、１セル毎に周波数を繰り返すシステムであり、セル端にある移動端末装置において干渉を考慮した受信品質を測定するためには、基本的には非直交化（ランダム化）するべきである。しかしながら、マルチセル協調送信やセル間干渉調整の特性を改善させるためには、マルチセル協調送信やセル間干渉調整に関わるセル間では直交化することが望ましいと考えられる。
【００１４】
本発明者らは、これらの点、すなわち、送信アンテナ間の直交化、セル間の直交化、高精度な干渉推定を考慮して、下りリンクのチャネル品質測定用参照信号の配置を検討し、本発明を完成するに至った。
【００１５】
すなわち、本発明の骨子は、チャネル品質測定用参照信号を生成し、少なくとも一部のセル間で互いに非直交となるように前記チャネル品質測定用参照信号に対して非直交化処理し、送信信号のチャネル品質測定用参照信号を互いに直交化させて、送信アンテナ間の直交化、セル間の直交化、高精度な干渉推定を考慮して下りリンクのチャネル品質測定用参照信号を送信することである。
【００１６】
したがって、チャネル品質測定用参照信号（ＣＳＩ−ＲＳ）は、次の２つの状態で送信することが望ましいと考えられる。
１）送信アンテナ間で直交化、セル間で非直交化
２）送信アンテナ間で直交化、セル間で非直交化／直交化の組み合わせ
ここで、２）の状態において、直交化するセルは、マルチセル協調送信やセル間干渉調整に関わるセルである。
【００１７】
まず、送信アンテナ間及び一部のセル間でＣＳＩ−ＲＳを直交化する方法について説明する。ＣＳＩ−ＲＳを直交化する方法（直交化処理）としては、図１（ａ）〜（ｃ）に示す時間分割多重、周波数分割多重、コード分割多重の方法が挙げられる。これらの方法は、それぞれ個別に採用しても良く、２つ以上の方法を組み合わせても良い。
【００１８】
図１（ａ）は、ＣＳＩ−ＲＳを時間分割多重（ＴＤＭ）する場合を示す図である。時間分割多重では、複数のＣＳＩ−ＲＳを異なるＯＦＤＭシンボルを用いて多重し、このＣＳＩ−ＲＳが他のデータと互いに干渉しないようにデータをパンクチャする。図１（ａ）においては、送信アンテナ（又はセル）＃１で送信するＣＳＩ−ＲＳを、左から２つ目のサブキャリアにおける一番奥のＯＦＤＭシンボルに配置し、左から２つ目のサブキャリアにおける他のＯＦＤＭシンボル（他の送信アンテナで送信するＣＳＩ−ＲＳが多重されるＯＦＤＭシンボル）をパンクチャする。また、送信アンテナ（又はセル）＃２で送信するＣＳＩ−ＲＳを、左から２つ目のサブキャリアにおける奥から二番目のＯＦＤＭシンボルに配置し、左から２つ目のサブキャリアにおける他のＯＦＤＭシンボル（他の送信アンテナで送信するＣＳＩ−ＲＳが多重されるＯＦＤＭシンボル）をパンクチャする。また、送信アンテナ（又はセル）＃３で送信するＣＳＩ−ＲＳを、左から２つ目のサブキャリアにおける奥から三番目のＯＦＤＭシンボルに配置し、左から２つ目のサブキャリアにおける他のＯＦＤＭシンボル（他の送信アンテナで送信するＣＳＩ−ＲＳが多重されるＯＦＤＭシンボル）をパンクチャする。また、送信アンテナ（又はセル）＃４で送信するＣＳＩ−ＲＳを、左から２つ目のサブキャリアにおける一番手前のＯＦＤＭシンボルに配置し、左から２つ目のサブキャリアにおける他のＯＦＤＭシンボル（他の送信アンテナで送信するＣＳＩ−ＲＳが多重されるＯＦＤＭシンボル）をパンクチャする。各レイヤでこのようにＣＳＩ−ＲＳをマッピングすることにより、ＣＳＩ−ＲＳは送信アンテナ間で直交化し、かつ、他のデータと干渉しない。なお、パンクチャ処理は望ましい処理であり、必須の処理ではない。
【００１９】
図１（ｂ）は、ＣＳＩ−ＲＳを周波数分割多重（ＦＤＭ）する場合を示す図である。周波数分割多重では、複数のＣＳＩ−ＲＳを異なるサブキャリアを用いて多重し、このＣＳＩ−ＲＳが他のデータと互いに干渉しないようにデータをパンクチャする。図１（ｂ）においては、送信アンテナ（又はセル）＃１で送信するＣＳＩ−ＲＳを、左から２つ目のサブキャリアにおける一番奥のＯＦＤＭシンボルに配置し、他のサブキャリアにおける一番奥のＯＦＤＭシンボル（他の送信アンテナで送信するＣＳＩ−ＲＳが多重されるＯＦＤＭシンボル）をパンクチャする。また、送信アンテナ（又はセル）＃２で送信するＣＳＩ−ＲＳを、左から３つ目のサブキャリアにおける一番奥のＯＦＤＭシンボルに配置し、他のサブキャリアにおける一番奥のＯＦＤＭシンボル（他の送信アンテナで送信するＣＳＩ−ＲＳが多重されるＯＦＤＭシンボル）をパンクチャする。また、送信アンテナ（又はセル）＃３で送信するＣＳＩ−ＲＳを、左から４つ目のサブキャリアにおける奥から一番奥のＯＦＤＭシンボルに配置し、他のサブキャリアにおける一番奥のＯＦＤＭシンボル（他の送信アンテナで送信するＣＳＩ−ＲＳが多重されるＯＦＤＭシンボル）をパンクチャする。また、送信アンテナ（又はセル）＃４で送信するＣＳＩ−ＲＳを、左から５つ目のサブキャリアにおける一番奥のＯＦＤＭシンボルに配置し、他のサブキャリアにおける一番奥のＯＦＤＭシンボル（他の送信アンテナで送信するＣＳＩ−ＲＳが多重されるＯＦＤＭシンボル）をパンクチャする。各レイヤでこのようにＣＳＩ−ＲＳをマッピングすることにより、ＣＳＩ−ＲＳは送信アンテナ間で直交化し、かつ、他のデータと干渉しない。なお、パンクチャ処理は望ましい処理であり、必須の処理ではない。
【００２０】
図１（ｃ）は、ＣＳＩ−ＲＳをコード分割多重（ＣＤＭ）する場合を示す図である。コード分割多重では、複数のＣＳＩ−ＲＳを、時間／周波数領域の同じＯＦＤＭシンボルに配置し、送信アンテナ（又はセル）間で直交符号を用いて多重する。図１（ｃ）においては、送信アンテナ（又はセル）＃１〜＃４で送信するＣＳＩ−ＲＳを、左から２つ目のサブキャリアで奥から二つのＯＦＤＭシンボルと、左から３つ目のサブキャリアで奥から二つのＯＦＤＭシンボルとの４つのＯＦＤＭシンボルに配置し、直交符号を用いて送信アンテナ間で直交化する。この場合、他のＯＦＤＭシンボルをパンクチャしない。この４つのＯＦＤＭシンボルは、直交符号で直交化されるので、ＣＳＩ−ＲＳが送信アンテナ間で直交化することになる。ここで、直交符号としては、Ｗａｌｓｈ符号などが挙げられる。
【００２１】
これらの直交化方法（ＴＤＭ、ＦＤＭ、ＣＤＭ）は適宜組み合わせて用いることができる。この場合、複数のＣＳＩ−ＲＳを、異なるＯＦＤＭシンボル及び／又はサブキャリアに配置して時間多重及び／又は周波数多重し、さらに送信アンテナ（又はセル）間を直交符号で直交化する。
【００２２】
次に、セル間でＣＳＩ−ＲＳを非直交化（ランダム化）する方法について説明する。ＣＳＩ−ＲＳを非直交化する方法（非直交化処理）としては、図２〜図４に示すシフティング、ホッピング、スクランブリングの方法が挙げられる。これらの方法は、それぞれ個別に採用しても良く、２つ以上の方法を組み合わせても良い。
【００２３】
図２は、シフティングによるＣＳＩ−ＲＳの非直交化を説明するための図である。シフティングにおいては、各ＣＳＩ−ＲＳを時間領域及び周波数領域で衝突しないように（干渉しないように）マッピングする。図２においては、セル＃１で送信するＣＳＩ−ＲＳを、左から２つ目のサブキャリア及び左から４つ目のサブキャリアにおける奥から一番目及び三番目のＯＦＤＭシンボルに配置する。また、セル＃２で送信するＣＳＩ−ＲＳを、左から３つ目のサブキャリア及び左から５つ目のサブキャリアにおける奥から一番目及び三番目のＯＦＤＭシンボルに配置する。また、セル＃３で送信するＣＳＩ−ＲＳを、左から２つ目のサブキャリア及び左から４つ目のサブキャリアにおける奥から二番目及び四番目のＯＦＤＭシンボルに配置する。また、セル＃４で送信するＣＳＩ−ＲＳを、左から３つ目のサブキャリア及び左から５つ目のサブキャリアにおける奥から二番目及び四番目のＯＦＤＭシンボルに配置する。このようにして、セル間でのＣＳＩ−ＲＳの衝突を回避している。この場合においては、ＯＦＤＭシンボルに対してパンクチャ処理しない。
【００２４】
このようにＣＳＩ−ＲＳをマッピングすると、ＣＳＩ−ＲＳは、他セルのデータシンボルと干渉するので、他セルのデータシンボルの電力を測定することができる。したがって、この方法は、干渉推定精度が高い方法である。
【００２５】
図３は、ホッピングによるＣＳＩ−ＲＳの非直交化を説明するための図である。ホッピングにおいては、各ＣＳＩ−ＲＳを時間領域及び周波数領域でランダム（Pseudo  random）にマッピングする。図３においては、セル＃１で送信するＣＳＩ−ＲＳを、左から２つ目のサブキャリアにおける一番奥及び三番目のＯＦＤＭシンボルと、左から４つ目のサブキャリアにおける奥から二番目のＯＦＤＭシンボルと、左から５つ目のサブキャリアにおける一番手前のＯＦＤＭシンボルとに配置する。また、セル＃２で送信するＣＳＩ−ＲＳを、左から２つ目のサブキャリアにおける一番手前のＯＦＤＭシンボルと、左から３つ目のサブキャリアにおける一番奥ＯＦＤＭシンボルと、左から４つ目のサブキャリアにおける手前から二番目のＯＦＤＭシンボルと、左から５つ目のサブキャリアにおける一番奥のＯＦＤＭシンボルとに配置する。また、セル＃３で送信するＣＳＩ−ＲＳを、左から２つ目のサブキャリアにおける奥から二番目のＯＦＤＭシンボルと、左から３つ目のサブキャリアにおける奥から三番目のＯＦＤＭシンボルと、左から５つ目のサブキャリアにおける一番奥及び一番手前のＯＦＤＭシンボルとに配置する。また、セル＃４で送信するＣＳＩ−ＲＳを、左から３つ目のサブキャリアにおける奥から二番目及び一番手前のＯＦＤＭシンボルと、左から５つ目のサブキャリアにおける奥から二番目及び一番手前のＯＦＤＭシンボルとに配置する。このようにして、セル間でのＣＳＩ−ＲＳの配置をランダム化している。このホッピングにおいては、図３のセル＃２で送信するＣＳＩ−ＲＳと、セル＃３で送信するＣＳＩ−ＲＳのように衝突する場合もある。この場合においても、ＯＦＤＭシンボルに対してパンクチャ処理しない。
【００２６】
このようなマッピングにおいては、ＣＳＩ−ＲＳをランダムに配置しているので、配置パターンが多い。このため、シフティングに比べてセル繰り返し数を多くすることができる。
【００２７】
図４は、スクランブリングによるＣＳＩ−ＲＳの非直交化を説明するための図である。スクランブリングにおいては、各ＣＳＩ−ＲＳを、時間／周波数領域の同じＯＦＤＭシンボルに配置し、セル間で異なる非直交符号（スクランブリング符号）を乗算する。図４においては、セル＃１で送信するＣＳＩ−ＲＳを、左から２つ目のサブキャリアにおける一番奥及び三番目のＯＦＤＭシンボルと、左から４つ目のサブキャリアにおける一番奥及び三番目のＯＦＤＭシンボルとに配置し、異なるスクランブリング符号を用いてセル間で非直交化する。この場合、他のＯＦＤＭシンボルをパンクチャしない。この４つのＯＦＤＭシンボルは、異なる非直交符号でランダム化されるので、ＣＳＩ−ＲＳがセル間で非直交化することになる。
【００２８】
スクランブリングは、シフティングやホッピングと容易に組み合わせることができる。すなわち、セル間で異なるＯＦＤＭシンボルにＣＳＩ−ＲＳが配置されるようにシフティングし、セル毎に異なるスクランブリング符号を乗算してシフティングとスクランブリングとを組み合わせることができ、セル間で異なるＯＦＤＭシンボルにＣＳＩ−ＲＳが配置されるようにホッピングし、セル毎に異なるスクランブリング符号を乗算してホッピングとスクランブリングとを組み合わせることができ、セル間で異なるＯＦＤＭシンボルにＣＳＩ−ＲＳが配置されるようにシフティング及びホッピングし、セル毎に異なるスクランブリング符号を乗算してシフティングとホッピングとスクランブリングとを組み合わせることができる。ＣＳＩ−ＲＳのセル間での衝突を回避し、セル繰り返し数を多くするためには、シフティングとスクランブリングとの組み合わせを採用することが望ましい。なお、セル間で異なるＯＦＤＭシンボルにＣＳＩ−ＲＳが配置されるようにシフティング及びホッピングして非直交化しても良い。
【００２９】
セル間で非直交化する場合、あるいはセル間で非直交化／直交化を組み合わせる場合においては、制御シグナリングが必要となる。例えば、シフティングの場合には、シフティングのパターンを表すシフティング番号（シフティング識別情報）をシグナリングし、ホッピングの場合には、ホッピングのパターンを表すホッピング番号（ホッピング識別情報）をシグナリングし、スクランブリングの場合には、スクランブリング符号をシグナリングする。ここでは、スクランブリングコード番号、シフティング番号、ホッピング番号を非直交化用制御情報という。
【００３０】
本発明において、一部のセル間では、例えばマルチセル協調送信又は干渉調整に関わるセル間では、ＣＳＩ−ＲＳを直交化する必要がある。この場合においては、直交化用制御情報をシグナリングする必要がある。直交化用制御情報としては、使用するリソース及び直交多重数（直交リソース番号（直交リソース識別情報））を含む。
【００３１】
これらの非直交化用制御情報や直交化用制御情報は、共通制御情報として報知しても良く、個別制御情報として通知しても良い。また、セルＩＤと対応づけることで制御情報に要するビット数を削減することもできる。
【００３２】
ここで、セル間の非直交化／直交化の組み合わせについて説明する。図５（ａ）はセル構成を示す図であり、図５（ｂ）は非直交化と直交化の組み合わせ例を示す図である。なお、図５（ｂ）に示す態様は、ＦＤＭによる直交化とシフティングにより非直交化の組み合わせの態様である。本発明はこの態様に限定されず、ＦＤＭによる直交化やシフティングにより非直交化と、他の直交化方法や他の非直交化方法とを組み合わせた態様も含む。
【００３３】
図５（ａ）に示すようなセル構成は、直交多重数が３であるセル群が４つのセル構成である。すなわち、このセル構成は、直交多重数３（Ａ〜Ｃ）であるセル群１〜４を持つセル構成である。このようなセル構成において、一部のセル間で直交化しつつ、その他のセル間で非直交化して、全体の干渉をランダム化する。
【００３４】
図５（ｂ）に示すように、セル群（１〜４）間については非直交化し、セル群におけるセル間（Ａ〜Ｃ）については直交化する。すなわち、セル１Ａ、セル１Ｂ及びセル１Ｃの間では、複数のＣＳＩ−ＲＳを異なるサブキャリアを用いて多重し、このＣＳＩ−ＲＳが他のデータと互いに干渉しないようにデータをパンクチャすることにより直交化している。同様に、セル２Ａ、セル２Ｂ及びセル２Ｃの間でも、複数のＣＳＩ−ＲＳを異なるサブキャリアを用いて多重し、このＣＳＩ−ＲＳが他のデータと互いに干渉しないようにデータをパンクチャすることにより直交化している。同様に、セル３Ａ、セル３Ｂ及びセル３Ｃの間でも、複数のＣＳＩ−ＲＳを異なるサブキャリアを用いて多重し、このＣＳＩ−ＲＳが他のデータと互いに干渉しないようにデータをパンクチャすることにより直交化している。同様に、セル４Ａ、セル４Ｂ及びセル４Ｃの間でも、複数のＣＳＩ−ＲＳを異なるサブキャリアを用いて多重し、このＣＳＩ−ＲＳが他のデータと互いに干渉しないようにデータをパンクチャすることにより直交化している。
【００３５】
また、一方、セル１Ａ、セル２Ａ、セル３Ａ及びセル４Ａの間では、各ＣＳＩ−ＲＳを時間領域及び周波数領域で衝突しないように（干渉しないように）マッピングする。同様に、セル１Ｂ、セル２Ｂ、セル３Ｂ及びセル４Ｂの間でも、各ＣＳＩ−ＲＳを時間領域及び周波数領域で衝突しないように（干渉しないように）マッピングする。同様に、セル１Ｃ、セル２Ｃ、セル３Ｃ及びセル４Ｃの間でも、各ＣＳＩ−ＲＳを時間領域及び周波数領域で衝突しないように（干渉しないように）マッピングする。
【００３６】
このように、少なくとも一部のセル間で互いに非直交となるようにＣＳＩ−ＲＳに対して非直交化処理する。さらに、それぞれの送信アンテナで送信する信号のＣＳＩ−ＲＳを互いに直交化させる。無線基地局装置でこのような処理を行うことにより、送信アンテナ間で直交化し、かつ、セル間で非直交化する送信態様、あるいは、送信アンテナ間で直交化し、かつ、セル間で非直交化／直交化の組み合わせの送信態様を実現することができる。その結果、送信アンテナ間の直交化、セル間の直交化、高精度な干渉推定を考慮して下りリンクのチャネル品質測定用参照信号を送受信することができる。
【００３７】
図６は、本発明の実施の形態に係る無線基地局装置及び移動端末装置を有する無線通信システムを示す図である。
【００３８】
無線通信システムは、例えばＥ−ＵＴＲＡ（Evolved  UTRA  and  UTRAN）が適用されるシステムである。無線通信システムは、無線基地局装置（ｅＮＢ：ｅＮｏｄｅＢ）２（２１，２２・・・２ｌ、ｌはｌ＞０の整数）と、無線基地局装置２と通信する複数の移動端末装置（ＵＥ）１ｎ（１１，１２，１３，・・・１ｎ、ｎはｎ＞０の整数）とを備える。無線基地局装置２は、上位局、例えばアクセスゲートウェイ装置３と接続され、アクセスゲートウェイ装置３は、コアネットワーク４と接続される。移動端末１ｎはセル５（５１，５２）において無線基地局装置２とＥ−ＵＴＲＡにより通信を行っている。本実施の形態では、２個のセルについて示しているが、本発明は３個以上のセルについても同様に適用することができる。なお、各移動端末装置（１１，１２，１３，・・・１ｎ）は、同一の構成、機能、状態を有するので、以下では特段の断りがない限り移動端末装置１ｎとして説明を進める。
【００３９】
無線通信システムでは、無線アクセス方式として、下りリンクについてはＯＦＤＭ（直交周波数分割多元接続）が適用され、上りリンクについてはＳＣ−ＦＤＭＡ（シングルキャリア−周波数分割多元接続）が適用される。ＯＦＤＭは、周波数帯域を複数の狭い周波数帯域（サブキャリア）に分割し、各サブキャリアにデータをマッピングして通信を行うマルチキャリア伝送方式である。ＳＣ−ＦＤＭＡは、周波数帯域を端末毎に分割し、複数の端末が互いに異なる周波数帯域を用いることで、端末間の干渉を低減するシングルキャリア伝送方式である。
【００４０】
ここで、Ｅ−ＵＴＲＡにおける通信チャネルについて説明する。
下りリンクについては、各移動端末装置１ｎで共有される物理下りリンク共有チャネル（ＰＤＳＣＨ：Physical  Downlink  Shared  Channel）と、物理下りリンク制御チャネル(ＰＤＣＣＨ：Physical  Downlink  Control  Channel)とが用いられる。物理下りリンク制御チャネルは下りＬ１／Ｌ２制御チャネルとも呼ばれる。上記物理下りリンク共有チャネルにより、ユーザデータ、すなわち、通常のデータ信号が伝送される。また、物理下りリンク制御チャネルにより、下りスケジューリング情報（DL  Scheduling  Information）、送達確認情報（ＡＣＫ／ＮＡＣＫ）、上りスケジューリンググラント（UL  Scheduling  Grant）、ＴＰＣコマンド（Transmission  Power  Control  Command）などが伝送される。下りスケジューリング情報には、例えば、物理下りリンク共有チャネルを用いて通信を行うユーザのＩＤや、そのユーザデータのトランスポートフォーマットの情報、すなわち、データサイズ、変調方式、再送制御（ＨＡＲＱ：Hybrid  ＡＲＱ）に関する情報や、下りリンクのリソースブロックの割り当て情報などが含まれる。
【００４１】
また、上りスケジューリンググラントには、例えば、物理上りリンク共有チャネルを用いて通信を行うユーザのＩＤや、そのユーザデータのトランスポートフォーマットの情報、すなわち、データサイズ、変調方式に関する情報や、上りリンクのリソースブロックの割り当て情報、上りリンクの共有チャネルの送信電力に関する情報などが含まれる。ここで、上りリンクのリソースブロックとは、周波数リソースに相当し、リソースユニットとも呼ばれる。
【００４２】
また、送達確認情報（ＡＣＫ／ＮＡＣＫ）とは、上りリンクの共有チャネルに関する送達確認情報のことである。送達確認情報の内容は、送信信号が適切に受信されたことを示す肯定応答（ＡＣＫ:Acknowledgement）又はそれが適切に受信されなかったことを示す否定応答（ＮＡＣＫ：Negative  Acknowledgement）の何れかで表現される。
【００４３】
上りリンクについては、各移動端末装置１ｎで共有して使用される物理上りリンク共有チャネル（ＰＵＳＣＨ：Physical  Uplink  Shared  Channel）と、物理上りリンク制御チャネル(ＰＵＣＣＨ：Physical  Uplink  Control  Channel)とが用いられる。上記物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化処理に用いるための下りリンクの品質情報、及び物理下りリンク共有チャネルの送達確認情報が伝送される。
【００４４】
物理上りリンク制御チャネルでは、ＣＱＩや送達確認情報に加えて、上りリンクの共有チャネルのリソース割り当てを要求するスケジューリング要求（Scheduling  Request）や、パーシステントスケジューリング（Persistent  Scheduling）におけるリリース要求（Release  Request）などが送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを無線基地局装置が移動端末装置に通知することを意味する。
【００４５】
移動端末装置１ｎは、最適な無線基地局装置に対して通信を行う。図６の例では、移動端末装置１１，１２は、無線基地局装置２１と通信し、移動端末装置１３は無線基地局装置２２と通信している。
【００４６】
図７は、本発明の実施の形態に係る無線基地局装置の構成を示す図である。図７には送信部しか図示していないが、この無線基地局装置は、当然に上りリンク信号を受信処理する受信部を備えている。
【００４７】
図７に示す無線基地局装置は、複数の送信アンテナ２２＃１〜２２＃Ｎと、送信アンテナに対応して設けられた送信信号生成部２１＃１〜２１＃Ｎとを備える。各送信信号生成部２１は、共有チャネル信号を生成する共有チャネル信号生成部２１１と、共有チャネル信号にパンクチャ処理するパンクチャ処理部２１２と、ＣＳＩ−ＲＳ系列を生成するＣＳＩ−ＲＳ系列生成部２１３と、ＣＳＩ−ＲＳを時間領域／周波数領域にマッピングする時間・周波数マッピング部２１４と、ＣＳＩ−ＲＳをシフティング及び／又はホッピングするリソースブロック（ＲＢ）を選択する多重ＲＢ選択部２１５と、共有チャネル信号とＣＳＩ−ＲＳを含む信号とを多重するチャネル多重部２１６と、多重された信号をＩＦＦＴ（Inverse  Fast  Fourier  Transform）するＩＦＦＴ部２１７と、ＩＦＦＴ後の信号にＣＰ（Cyclic  Prefix）を付加するＣＰ付加部２１８とから主に構成されている。なお、送信信号生成部２１＃１〜２１＃Ｎは、送信アンテナ２２＃１〜２２＃Ｎ分設けられているが、図７においては、送信アンテナ＃１の送信信号生成部２１＃１のみ詳細に図示している。
【００４８】
共有チャネル信号生成部２１１は、下り送信データを用いて共有チャネル信号（ＰＤＳＣＨで送信される信号）を生成する。共有チャネル信号生成部２１１は、上りリンク信号に含まれるＣＳＩ−ＲＳを用いて無線基地局装置で測定されたＣＳＩ測定値に基づいて共有チャネル信号を生成する。共有チャネル信号生成部２１１は、生成された共有チャネル信号をパンクチャ処理部２１２に出力する。
【００４９】
パンクチャ処理部２１２は、生成された共有チャネル信号に対してパンクチャ処理する。パンクチャ処理は、図１（ａ），（ｂ）、図５（ｂ）に示すように、送信アンテナ間及び一部のセル間において、ＲＢに配置されたＣＳＩ−ＲＳと共有チャネル信号（送信データ）とが干渉しないように、共有チャネル信号に施される。各送信信号生成部２１＃１〜２１＃Ｎのパンクチャ処理部２１２は、直交リソース情報（直交リソース番号）に含まれるＣＳＩ−ＲＳ直交多重数（図５に示す場合ではＡ〜Ｃの３である）に基づいて共有チャネル信号に対してパンクチャ処理する。すなわち、パンクチャ処理部２１２は、ＣＳＩ−ＲＳ直交多重数に基づいてセル間や送信アンテナ間でＣＳＩ−ＲＳと共有チャネル信号（送信データ）とが干渉しないように、共有チャネル信号をパンクチャ処理する。パンクチャ処理部２１２は、パンクチャ処理後の共有チャネル信号をチャネル多重部２１６に出力する。
【００５０】
ＣＳＩ−ＲＳ系列生成部２１３は、ＲＢに多重するＣＳＩ−ＲＳを生成する。ＣＳＩ−ＲＳ系列生成部２１３は、ＣＳＩ−ＲＳに対して非直交化処理としてスクランブリングする場合には、図４に示すように、スクランブリングコード番号に基づくスクランブリングコードでＣＳＩ−ＲＳをスクランブリングする。また、ＣＳＩ−ＲＳ系列生成部２１３は、直交化処理としてコード多重する場合には、図１（ｃ）に示すように、送信アンテナ間、直交化するセル間で、直交符号番号に基づく直交符号及び直交リソース番号に含まれる直交多重数を用いてＣＳＩ−ＲＳを直交化する。ＣＳＩ−ＲＳ系列生成部２１３は、ＣＳＩ−ＲＳを時間・周波数マッピング部２１４に出力する。
【００５１】
時間・周波数マッピング部２１４は、ＣＳＩ−ＲＳをＲＢ内の時間領域／周波数領域にマッピングする。時間・周波数マッピング部２１４は、直交化処理として時間多重及び／又は周波数多重する場合には、図１（ａ），（ｂ）に示すように、直交リソース番号に含まれる直交多重数を用いてＣＳＩ−ＲＳを直交化する。また、時間・周波数マッピング部２１４は、非直交化処理としてシフティング及び／又はホッピングする場合には、シフティング番号及び／又はホッピング番号に基づいてＣＳＩ−ＲＳをシフティング及び／又はホッピングする。時間・周波数マッピング部２１４は、マッピング後の信号を多重ＲＢ選択部２１５に出力する。
【００５２】
多重ＲＢ選択部２１５は、無線フレームのどのＲＢに多重するかを選択する。多重ＲＢ選択部２１５は、非直交化処理としてシフティング及び／又はホッピングする場合には、シフティング番号及び／又はホッピング番号に基づいて、ＣＳＩ−ＲＳを含む信号を無線フレームのどこに多重するか選択する。多重ＲＢ選択部２１５は、ＲＢ選択された、ＣＳＩ−ＲＳを含む信号をチャネル多重部２１６に出力する。
【００５３】
チャネル多重部２１６は、共通チャネル信号とＣＳＩ−ＲＳを含む信号とをチャネル多重する。チャネル多重部２１６は、チャネル多重した信号をＩＦＦＴ部２１７に出力する。ＩＦＦＴ部２１７は、チャネル多重後の信号をＩＦＦＴして時間領域の信号に変換する。ＩＦＦＴ部２１７は、ＩＦＦＴ後の信号をＣＰ付加部２１８に出力する。ＣＰ付加部２１８は、ＩＦＦＴ後の信号にＣＰを付加する。各送信信号生成部２１＃１〜２１＃ＮでＣＰ付加された信号は、それぞれ送信アンテナ２２＃１〜２２＃Ｎから下りリンク（下り物理共有チャネル）で各移動端末装置に送信される。
【００５４】
上記構成の無線基地局装置においては、送信アンテナ間及び／又はセル間で直交化する際に、直交化処理として時間多重及び／又は周波数多重を用いるときは、時間・周波数マッピング部２１４が直交化処理を行う。また、送信アンテナ間及び／又はセル間で直交化する際に、直交化処理としてコード多重を用いるときは、ＣＳＩ−ＲＳ系列生成部２１３が直交化処理を行う。また、送信アンテナ間及び／又はセル間で直交化する際に、直交化処理としてコード多重と、時間多重及び／又は周波数多重とを用いるときは、時間・周波数マッピング部２１４及びＣＳＩ−ＲＳ系列生成部２１３が直交化処理を行う。
【００５５】
また、セル間で非直交化する際に、非直交化処理としてシフティング及び／又はホッピングを用いるときは、時間・周波数マッピング部２１４及び多重ＲＢ選択部２１５が非直交化処理を行う。また、セル間で非直交化する際に、非直交化処理としてスクランブリングを用いるときは、ＣＳＩ−ＲＳ系列生成部２１３が非直交化処理を行う。また、セル間で非直交化する際に、非直交化処理としてスクランブリングと、シフティング及び／又はマッピングとを用いるときは、ＣＳＩ−ＲＳ系列生成部２１３、時間・周波数マッピング部２１４及び多重ＲＢ選択部２１５が非直交化処理を行う。
【００５６】
図８は、本発明の実施の形態に係る移動端末装置の構成を示す図である。図８に示す移動端末装置は、受信アンテナ１１と、受信信号からＣＰを除去するＣＰ除去部１２と、ＣＰ除去された信号をＦＦＴ（Fast  Fourier  Transform）するＦＦＴ部１３と、共有チャネル信号とＣＳＩ−ＲＳを含む信号とを分割するチャネル分割部１４と、共有チャネル信号をデパンクチャ処理するデパンクチャ処理部１５と、デパンクチャ処理した共有チャネル信号を復調・復号する共有チャネル復調・復号部１６と、無線基地局装置の送信アンテナに対応して設けられ、ＣＳＩ−ＲＳを含む信号からＣＳＩ測定値を得るＣＳＩ情報生成部１７＃１〜１７＃Ｎとから主に構成されている。図８においては、無線基地局装置の送信アンテナ＃１に対応するＣＳＩ情報生成部１７＃１のみ詳細に図示している。
【００５７】
各ＣＳＩ情報生成部１７＃１〜１７＃Ｎは、ＣＳＩ−ＲＳをシフティング及び／又はホッピングするＲＢを抽出する多重ＲＢ抽出部１７１と、時間領域／周波数領域にマッピングされたＣＳＩ−ＲＳをデマッピングする時間・周波数デマッピング部１７２と、デマッピングされたＣＳＩ−ＲＳを用いてＣＳＩを測定するＣＳＩ測定部１７３とから主に構成されている。
【００５８】
無線基地局装置から下りリンク（下り物理共有チャネル）で送信された信号は、移動端末装置の受信アンテナ１１を介して受信される。ＣＰ除去部１２は、受信信号からＣＰを除去する。ＣＰ除去部１２は、ＣＰ除去後の信号をＦＦＴ部１３に出力する。ＦＦＴ部１３は、ＣＰ除去後の信号をＦＦＴして周波数領域の信号に変換する。ＦＦＴ部１３は、ＦＦＴ後の信号をチャネル分割部１４に出力する。チャネル分割部１４は、共通チャネル信号とＣＳＩ−ＲＳを含む信号とをチャネル分割する。チャネル分割部１４は、チャネル分割した信号をデパンクチャ処理部１５に出力する。
【００５９】
デパンクチャ処理部１５は、チャネル分割された共有チャネル信号に対してデパンクチャ処理する。デパンクチャ処理部１５は、直交リソース情報（直交リソース番号）に含まれるＣＳＩ−ＲＳ直交多重数（図５に示す場合ではＡ〜Ｃの３である）に基づいて共有チャネル信号に対してデパンクチャ処理する。デパンクチャ処理部１５は、デパンクチャ処理後の共有チャネル信号を共有チャネル信号復調・復号部１６に出力する。
【００６０】
共有チャネル信号復調・復号部１６は、デパンクチャされた共有チャネル信号を復調・復号して受信データを得る。
【００６１】
多重ＲＢ抽出部１７１は、シフティング及び／又はホッピングされているＲＢが無線フレームから抽出する。多重ＲＢ抽出部１７１は、非直交化処理としてシフティング及び／又はホッピングする場合には、シフティング番号及び／又はホッピング番号に基づいて、ＣＳＩ−ＲＳを含む信号を無線フレームから抽出する。多重ＲＢ抽出部１７１は、ＲＢ抽出された、ＣＳＩ−ＲＳを含む信号を時間・周波数デマッピング部１７２に出力する。
【００６２】
時間・周波数デマッピング部１７２は、ＣＳＩ−ＲＳをＲＢ内の時間領域／周波数領域からデマッピングする。時間・周波数デマッピング部１７２は、直交化処理として時間多重及び／又は周波数多重が採用されている場合には、直交リソース番号に含まれる直交多重数を用いてデマッピングする。また、時間・周波数デマッピング部１７２は、非直交化処理としてシフティング及び／又はホッピングが採用されている場合には、シフティング番号及び／又はホッピング番号に基づいてＣＳＩ−ＲＳをデマッピングする。時間・周波数デマッピング部１７２は、デマッピング後の信号をＣＳＩ測定部１７３に出力する。
【００６３】
ＣＳＩ測定部１７３は、デマッピングされた（抽出された）ＣＳＩ−ＲＳを用いてチャネル品質を測定し、ＣＳＩ測定値を出力する。ＣＳＩ測定部１７３は、ＣＳＩ−ＲＳに対して非直交化処理としてスクランブリングが採用されている場合には、スクランブリングコード番号に基づくスクランブリングコードでＣＳＩ−ＲＳをデスクランブリングして抽出する。また、ＣＳＩ測定部１７３は、直交化処理としてコード多重する場合には、送信アンテナ間、直交化するセル間で、直交符号番号に基づく直交符号及び直交リソース番号に含まれる直交多重数を用いてＣＳＩ−ＲＳを抽出する。
【００６４】
下りリンク信号には、非直交化用の制御情報及び／又は直交化用の制御情報が含まれる。非直交化用の制御情報としては、スクランブリングコード番号、シフティング番号及び／又はホッピング番号が挙げられる。直交化用の制御情報としては、使用するリソース及び直交多重数を含む直交リソース番号、直交符号番号が挙げられる。ここで、使用するリソースとは、図５（ｂ）を用いて説明すると、セル（Ａ〜Ｃ）を意味する。したがって、使用するリソースとは、所定のセル群１〜４において、使用するリソースがＡ〜Ｃのいずれかであることを示す識別情報である。
【００６５】
これらの非直交化用の制御情報及び／又は直交化用の制御情報は、無線基地局装置から移動端末装置に、報知チャネル（ＢＣＨ）で通知されても良く、Ｌ１／Ｌ２制御信号として送信されても良く、上位レイヤで通知されても良い。
【００６６】
非直交化用の制御情報であるスクランブリングコード番号は、ＣＳＩ測定部１７３に送られ、シフティング番号及び／又はホッピング番号は時間・周波数デマッピング部１７２及び多重ＲＢ抽出部１７１に送られる。また、直交化用の制御情報である直交リソース番号は、ＣＳＩ測定部１７３及び時間・周波数デマッピング部１７２に送られる。また、直交化用の制御情報である直交符号番号は、ＣＳＩ測定部１７３に送られる。また、ＣＳＩ−ＲＳ直交多重数は、デパンクチャ処理部１５に送られる。
【００６７】
上記構成を有する無線基地局装置及び移動端末装置での無線通信方法について説明する。
本発明の無線通信方法においては、無線基地局装置において、ＣＳＩ−ＲＳを生成し、少なくとも一部のセル間で互いに非直交となるようにＣＳＩ−ＲＳに対して非直交化処理し、ＣＳＩ−ＲＳを送信アンテナ間で直交化させ、制御情報と共に移動端末装置に送信し、移動端末装置において、制御情報及びＣＳＩ−ＲＳを含む下りリンク信号を受信し、制御情報を用いてＣＳＩ−ＲＳを抽出し、ＣＳＩ−ＲＳを用いてチャネル品質を測定する。
【００６８】
無線基地局装置において、ＣＳＩ−ＲＳにスクランブリング番号に対応するスクランブリング符号を乗算し、複数のＣＳＩ−ＲＳを送信アンテナ間、一部のセル間で異なるサブキャリアに多重するようにマッピングして直交化（ＦＤＭ）するとともに、セル間で各ＣＳＩ−ＲＳが時間領域及び周波数領域で衝突しないように（干渉しないように）マッピングして非直交化する（シフティング）。一方、共有チャネル信号については、送信アンテナ間、一部のセル間でＣＳＩ−ＲＳとデータとが干渉しないようにパンクチャ処理する。このような共有チャネル信号とＣＳＩ−ＲＳとをチャネル多重し、この多重信号を下りリンクで移動端末装置に送信する。このとき、非直交化用制御情報及び直交化用制御情報も下りリンクで移動端末装置に送信する。
【００６９】
移動端末装置においては、共有チャネル信号とＣＳＩ−ＲＳとを分割し、共有チャネル信号についてはデパンクチャして復調・復号し、ＣＳＩ−ＲＳについてはデマッピングして抽出する。そして、ＣＳＩ−ＲＳを用いてチャネル品質を測定して、ＣＳＩ測定値を得る。このように、本発明の無線通信方法においては、セル間で互いに非直交となるようにＣＳＩ−ＲＳに対して非直交化処理し、ＣＳＩ−ＲＳを送信アンテナ間、一部のセル間で互いに直交化させることにより、送信アンテナ間の直交化、セル間の直交化、高精度な干渉推定を考慮して下りリンクのチャネル品質測定用参照信号を送信することができる。
【００７０】
本発明は上記実施の形態に限定されず、種々変更して実施することが可能である。上記実施の形態において、送信アンテナ数、セル数は一例であり、これに限定されるものではない。また、本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【産業上の利用可能性】
【００７１】
本発明は、ＬＴＥ−Ａシステムの無線基地局装置、移動端末装置及び無線通信方法に有用である。
【符号の説明】
【００７２】
１ｎ  移動端末装置
２ｎ  無線基地局装置
３  アクセスゲートウェイ
４  コアネットワーク
５ｎ  セル
１１  受信アンテナ
１２  ＣＰ除去部
１３  ＦＦＴ部
１４  チャネル分割部
１５  デパンクチャ処理部
１６  共有チャネル信号復調・復号部
１７  ＣＳＩ情報生成部
２１  送信信号生成部
２２  送信アンテナ
１７１  多重ＲＢ選択部
１７２  時間・周波数デマッピング部
１７３  ＣＳＩ測定部
２１１  共有チャネル信号生成部
２１２  パンクチャ処理部
２１３  ＣＳＩ−ＲＳ系列生成部
２１４  時間・周波数マッピング部
２１５  多重ＲＢ選択部
２１６  チャネル多重部
２１７  ＩＦＦＴ部
２１８  ＣＰ付加部
【図１】
0005599481.tif 000002
【図２】
0005599481.tif 000003
【図３】
0005599481.tif 000004
【図４】
0005599481.tif 000005
【図５】
0005599481.tif 000006
【図６】
0005599481.tif 000007
【図７】
0005599481.tif 000008
【図８】
0005599481.tif 000009